(57)【要約】【課題】  上方の高い位置にある断路器の可動機構に簡単な処置を施すことで、断路器における投入ストッパーの位置関係を確実かつ容易に確認する。【解決手段】  断路器１のブレード４の可動端部に、ブレード４の長手方向を中心軸として回動し得るように取り付けた可動コンタクト５と、可動コンタクト５に隣接して取り付けたストッパー片７に、可動コンタクト５を回動させるために、ブレード４の軸方向に対して円周方向へ突出させたノックピン８とを備え、投入ストッパー９の開口縁にノックピン８を当接させ、可動コンタクト５と共にストッパー片７を回動させながら投入ストッパー９に掛け止めた状態を明確に表示できるように、投入ストッパー９とストッパー片７とを、視覚状態が異なる部材でそれぞれ構成した。【選択図】  図２
2006294565.tif 000002
【特許請求の範囲】
【請求項１】
断路器（１）のベース（２）に、水平方向に回動自在に取り付けたブレード（４）と、
前記ブレード（４）の可動端部に、該ブレード（４）の長手方向を中心軸として回動し得るように取り付けた可動コンタクト（５）と、
前記断路器（１）のベース（２）に取り付けた、前記可動コンタクト（５）を電気的に接続するフィンガー（６）と、
前記可動コンタクト（５）に隣接して取り付けたストッパー片（７）に、該可動コンタクト（５）を回動させるために、前記ブレード（４）の軸方向に対して円周方向へ突出させたノックピン（８）と、
前記フィンガー（６）に隣接して取り付けた、前記ストッパー片（７）を離接自在に掛け止める投入ストッパー（９）と、を備え、
前記投入ストッパー（９）の開口縁に前記ノックピン（８）を当接させ、前記可動コンタクト（５）と共にストッパー片（７）を回動させて該投入ストッパー（９）に掛け止めた状態を明確に表示できるように、該投入ストッパー（９）と前記ストッパー片（７）とを、視覚状態が異なる部材でそれぞれ構成した、ことを特徴とする断路器の接触構造。
【請求項２】
前記投入ストッパー（９）の一部に、前記ストッパー片（７）と異なる色彩を施した、ことを特徴とする請求項１の断路器の接触構造。
【請求項３】
前記投入ストッパー（９）は、横向き略コ字形状になり、その上側部材に下方へ向けて前記ストッパー片（７）を掛け止める突片（１０）を設け、該突片（１０）に前記ストッパー片（７）と異なる色彩を施した、ことを特徴とする請求項１の断路器の接触構造。
【請求項４】
前記投入ストッパー（９）の突片（１０）を黄色に着色した、ことを特徴とする請求項３の断路器の接触構造。
【請求項５】
前記投入ストッパー（９）の突片（１０）に蓄光塗料を塗布した、ことを特徴とする請求項３の断路器の接触構造。
【請求項６】
前記投入ストッパー（９）の突片（１０）をストライプ状に着色した、ことを特徴とする請求項３の断路器の接触構造。
【請求項７】
前記投入ストッパー（９）の突片（１０）に再帰反射材（１３）を貼り付けた、ことを特徴とする請求項３の断路器の接触構造。
【請求項８】
前記投入ストッパー（９）の突片（１０）に再帰反射板を取り付けた、ことを特徴とする請求項３の断路器の接触構造。
【請求項９】
断路器（１）のベース（２）中央部に設けたブレード支持部（３）に、水平方向に回動自在に取り付けたブレード（４）と、
前記ブレード（４）の両端部に、該ブレード（４）の長手方向を中心軸として回動し得るように取り付けた可動コンタクト（５）と、
前記断路器（１）のベース（２）に取り付けた、前記可動コンタクト（５）に電気的に接続する各フィンガー（６）と、
前記可動コンタクト（５）に隣接して取り付けたストッパー片（７）に、該可動コンタクト（５）を回動させるために、前記ブレード（４）の軸方向に対して円周方向へ突出させたノックピン（８）と、
前記フィンガー（６）に隣接して取り付けた、前記ストッパー片（７）を離接自在に掛け止める投入ストッパー（９）と、を備え、
前記投入ストッパー（９）の開口縁に前記ノックピン（８）を当接させて、前記可動コンタクト（５）と共にストッパー片（７）を回動させて該投入ストッパー（９）に掛け止め状態を明確に表示できるように、該投入ストッパー（９）と前記ストッパー片（７）とを、視覚状態が異なる部材でそれぞれ構成した、ことを特徴とする断路器の接触構造。
【発明の詳細な説明】
【技術分野】
【０００１】
本発明は、発変電所に設置する断路器に係り、特に断路器のブレードとフィンガーの投入ストッパーの位置関係を確認できる断路器の接触構造に関するものである。
【背景技術】
【０００２】
発変電所に設置される断路器は、電気を開閉するスイッチの一種である。この断路器は、しゃ断器のように電流が流れている状態では開閉するものではなく、電流が流れていない状態で開閉するものである。通常、機器を点検するときは、先ずしゃ断器を開いて電流が流れない状態にしてから、両端又は片方の断路器を開路し、回路より切り離された状態で点検を行う。この断路器はスイッチ部分の構造により、代表的なものとして「水平一点切り」、「水平二点切り」、「垂直一点切り」などがある。
【０００３】
従来の水平二点切り断路器１は、図１に示すように、ベース中央部にブレード支持部３を設け、このブレード支持部３にブレード４を水平方向に回動自在に取り付けたものである。このブレード４の両端部に、ブレード４の長手方向を中心軸として回動し得るように可動コンタクト５を取り付けた。この可動コンタクト５と電気的に接続するフィンガー６を断路器１のベース２にそれぞれ取り付けた。可動コンタクト５に隣接して取り付けたストッパー片７に、ノックピン８をブレード４の軸方向に対して円周方向へ突出させたものである。
【０００４】
このように構成した断路器１について、フィンガー６に可動コンタクト５を閉路するときは、図５（ａ）に示すように、先ずブレード４を、ブレード支持部３を中心点として回動させて可動コンタクト５をフィンガー６に近づける。次に、図５（ｂ）に示すように、投入ストッパー９の開口縁にノックピン８を当接させて、可動コンタクト５と共にストッパー片７を回動させる。最後に、図５（ｃ）に示すように、ノックピン８が略水平になるように回動させて、このストッパー片７を投入ストッパー９の開口の突片１０に掛け止める。
【０００５】
このように、ブレードを回動させて断路器を開閉する技術が提案されている。例えば、特許文献１の特開平１１−１２０８７０「水平二点切断路器」には、ベースの中央部に回転可能に支持された回転がいしと、ベースの両端部にそれぞれ載置された支持がいしとで、一相を構成している。回転がいしの上面には、両端部にコンタクトを有するブレードが、その長軸の回りに９０°捻回可能に取り付けられるとともに、支持がいしの上面には、コンタクトを把持するフィンガーが取り付けられる。また、ブレードの両端部には、ノックピンが固着されるとともに、フィンガーの近傍には、投入ストッパーが固着されるものである。
【特許文献１】特開平１１−１２０８７０
【発明の開示】
【発明が解決しようとする課題】
【０００６】
このように構成した断路器について定期設備パトロールをするときには、その断路器の接触状態の確認を行っている。特に、ストッパー片７と投入ストッパー９の位置関係について注意を払って確認する。しかし、従来の断路器の接触構造では、図６と図７に示すように、ストッパー片７と投入ストッパー９は同色であり、投入状態が不良、即ち、不完全投入であっても、投入ストッパー９の位置関係の判断が難しく見逃しやすいという問題を有していた。ここで不完全投入とは、フィンガーのバネ調整不足に起因するもの、捻回途中で停止すること、又は捻回状態に入る前に停止すること等を意味する。
【０００７】
また、連系変電所では、断路器の台数が多く、投入ストッパー９の位置関係の確認に時間を要するという問題を有していた。
【０００８】
本発明は、上述した問題点を解決するために創案されたものである。すなわち本発明の目的は、上方の高い位置にある断路器の可動機構に簡単な処置を施すことで、断路器における投入ストッパーの位置関係を確実かつ容易に確認することができる断路器の接触構造を提供することにある。
【課題を解決するための手段】
【０００９】
本発明によれば、断路器（１）のベース（２）に、水平方向に回動自在に取り付けたブレード（４）と、前記ブレード（４）の可動端部に、該ブレード（４）の長手方向を中心軸として回動し得るように取り付けた可動コンタクト（５）と、前記断路器（１）のベース（２）に取り付けた、前記可動コンタクト（５）を電気的に接続するフィンガー（６）と、前記可動コンタクト（５）に隣接して取り付けたストッパー片（７）に、該可動コンタクト（５）を回動させるために、前記ブレード（４）の軸方向に対して円周方向へ突出させたノックピン（８）と、前記フィンガー（６）に隣接して取り付けた、前記ストッパー片（７）を離接自在に掛け止める投入ストッパー（９）と、を備え、前記投入ストッパー（９）の開口縁に前記ノックピン（８）を当接させ、前記可動コンタクト（５）と共にストッパー片（７）を回動させて該投入ストッパー（９）に掛け止めた状態を明確に表示できるように、該投入ストッパー（９）と前記ストッパー片（７）とを、視覚状態が異なる部材でそれぞれ構成した、ことを特徴とする断路器の接触構造が提供される。
【００１０】
前記投入ストッパー（９）の一部に、前記ストッパー片（７）と異なる色彩を施した。
前記投入ストッパー（９）は、横向き略コ字形状になり、上側部材に下方へ向けて前記ストッパー片（７）を掛け止める突片（１０）を設け、該突片（１０）に前記ストッパー片（７）と異なる色彩を施した。
前記投入ストッパー（９）の突片（１０）を黄色に着色した。
前記投入ストッパー（９）の突片（１０）に蓄光塗料を塗布した。
【００１１】
前記投入ストッパー（９）の突片（１０）をストライプ状に着色した。
前記投入ストッパー（９）の突片（１０）に再帰反射材（１３）を貼り付けた。
前記投入ストッパー（９）の突片（１０）に再帰反射板を取り付けた。
【００１２】
例えば、水平二点切断路器は、断路器（１）のベース（２）中央部に設けたブレード支持部（３）に、水平方向に回動自在に取り付けたブレード（４）と、前記ブレード（４）の両端部に、該ブレード（４）の長手方向を中心軸として回動し得るように取り付けた可動コンタクト（５）と、前記断路器（１）のベース（２）に取り付けた、前記可動コンタクト（５）に電気的に接続する各フィンガー（６）と、前記可動コンタクト（５）に隣接して取り付けたストッパー片（７）に、該可動コンタクト（５）を回動させるために、前記ブレード（４）の軸方向に対して円周方向へ突出させたノックピン（８）と、前記フィンガー（６）に隣接して取り付けた、前記ストッパー片（７）を離接自在に掛け止める投入ストッパー（９）と、を備え、前記投入ストッパー（９）の開口縁に前記ノックピン（８）を当接させて、前記可動コンタクト（５）と共にストッパー片（７）を回動させて該投入ストッパー（９）に掛け止め状態を明確に表示できるように、該投入ストッパー（９）と前記ストッパー片（７）とを、視覚状態が異なる部材でそれぞれ構成した。
【発明の効果】
【００１３】
本発明では、断路器（１）を閉路にするときに、ブレード（４）を回動させ、投入ストッパー（９）の開口縁にノックピン（８）を当接させて可動コンタクト（５）と共にストッパー片（７）を回動させて掛け止める。この投入ストッパー（９）にストッパー片（７）が掛け止められている状態を、投入ストッパー（９）とストッパー片（７）との視覚状態が異なる部材で構成しているので、投入状態を容易かつ確実に確認することができる。即ち、ブレード（４）が完全投入状態のときは、ストッパー片（７）が投入ストッパー（９）の突片（１０）の後側になるのでその着色等を確認できる。一方、不完全な投入状態のときは、ストッパー片（７）が投入ストッパー（９）の突片（１０）の手前となるためその着色等を確認できない。そこで、断路器（１）のブレード（４）の投入状態が正常投入か、不完全投入かを容易に確認できるので、定期設備パトロールを迅速に実行することができる。
【００１４】
高い位置にあるブレード（４）についても、着色以外に蓄光塗料、ストライプ状の塗布、再帰反射材（１３）又は再帰反射板等を用いることで、定期設備パトロール時の断路器（１）の状態を容易に確認することができる。
【発明を実施するための最良の形態】
【００１５】
本発明の断路器の接触構造は、投入ストッパーとストッパー片とを視覚状態が異なる部材で構成したので、投入ストッパーの開口縁にノックピンを当接させ、可動コンタクトと共にストッパー片を回動させて投入ストッパーに掛け止めている状態を明確に表示できる。
【００１６】
以下、本発明の好ましい実施の形態を図面を参照して説明する。
図１は本発明の接触構造を備える断路器を示す平面図であり、（ａ）はブレードを閉じる状態、（ｂ）はブレードが閉じた状態である。
本発明の接触構造を備える断路器１、例えば水平二点切断路器は、ベース２中央部に設けたブレード支持部３に、ブレード４を水平方向に回動自在に取り付け、このブレード４の両端部に、ブレード４の長手方向を回動中心軸として回動し得るように可動コンタクト５を取り付けたものである。また、断路器１のベース２に、可動コンタクト５に電気的に接続する各フィンガー６を取り付けている。
【実施例１】
【００１７】
図２は実施例１の着色塗料を塗布した接触構造の拡大正面図である。
実施例１の接触構造は、可動コンタクト５に隣接して取り付けたストッパー片７に、この可動コンタクト５を回動させるために、ブレード４の軸方向に対して円周方向へ突出させたノックピン８を取り付けたものである。一方、ストッパー片７は、フィンガー６に隣接して取り付けた投入ストッパー９に離接自在に掛け止める。投入ストッパー９は、横向き略コ字形状になり、上側部材に下方へ向けてストッパー片７を掛け止める突片１０を設けたものである。
【００１８】
本発明では、この突片１０にストッパー片７とは異なる色彩を施した。例えば、投入ストッパー９の突片１０を黄色に着色した（図２では斜線部分で示した黄色着色部１１）。この黄色の着色に代えて、蓄光塗料を塗布したものでもよい。本発明では、突片１０に投入ストッパー９と異なる色彩を施したものであれば、これら以外の色彩又は塗料を用いることができる。
【００１９】
このように構成した接触構造では、断路器１を閉路にするときに、投入ストッパー９の開口縁にノックピン８を当接させ、可動コンタクト５と共にストッパー片７を回動させながら投入ストッパー９に掛け止める。この投入ストッパー９にストッパー片７が掛け止められている状態を、投入ストッパー９の突片１０を黄色に着色したので、投入状態を容易かつ確実に確認することができる。即ち、ブレード４が完全投入状態のときは、ブレード４が投入ストッパー９の突片１０の後側になるのでその黄色の着色等を確認できる。一方、不完全な投入状態のときは、ブレード４が投入ストッパー９の突片１０の手前となるためその着色等を確認できない。そこで、断路器１のブレード４の投入状態が正常投入か、不完全投入かを容易に確認できる。
【実施例２】
【００２０】
図３は実施例２のストライプ状に着色した接触構造の拡大正面図である。
実施例２の接触構造は、投入ストッパー９の突片１０をストライプ状に着色したものである。実施例２では突片１０を単に着色するだけでなく、ストライプ状模様部１２を設けることで、断路器１のブレード４の投入状態が正常投入か、不完全投入かをより容易に確認できる。
【実施例３】
【００２１】
図４は実施例３の再帰反射材を貼り付けた接触構造の拡大正面図である。
実施例３の接触構造は、投入ストッパー９の突片１０にシール状の再帰反射材１３を貼り付けたものである。このように再帰反射材１３を貼り付けるだけで瞬時に作業を完了させることができる。例えば、夕闇のように暗いときは、この再帰反射材１３に光を当てるだけで容易に判断することができる。このシール状の再帰反射材１３に代えて再帰反射板を取り付けることも可能である。この再帰反射材１３又は再帰反射材を施すことで、高い位置にあるブレード４についても、定期設備パトロール時の断路器１の状態を容易、確実に、しかも短時間で確認でき、異常の早期発見が可能となる。
【００２２】
なお、本発明の断路器の接触構造は、投入ストッパー９とストッパー片７とを視覚状態が異なる部材でそれぞれを構成することで、断路器１における投入ストッパー９の位置関係を確実かつ容易に確認することができれば、上述した発明の実施の形態に限定されず、本発明の要旨を逸脱しない範囲で種々変更できることは勿論である。
【産業上の利用可能性】
【００２３】
本発明の断路器の接触構造は、主に断路器の投入ストッパーとストッパー片との位置関係の確認に利用できるが、断路器以外に種々の機器類の開閉状態の確認に利用することができる。
【図面の簡単な説明】
【００２４】
【図１】本発明の接触構造を備える断路器を示す平面図であり、（ａ）はブレードを閉じる状態、（ｂ）はブレードが閉じた状態である。
【図２】実施例１の着色塗料を塗布した接触構造の拡大正面図である。
【図３】実施例２のストライプ状に着色した接触構造の拡大正面図である。
【図４】実施例３の再帰反射材を貼り付けた接触構造の拡大正面図である。
【図５】ブレードを回してフィンガーに可動コンタクトを閉路するときの拡大断面図であり、（ａ）は可動コンタクトをフィンガーに近づける状態、（ｂ）はノックピンにより可動コンタクトと共にストッパー片が回動する状態、（ｃ）はストッパー片を投入ストッパーに掛け止めた状態である。
【図６】接触構造においてストッパー片が投入ストッパーに完全に掛け止められていない状態の拡大断面図である。
【図７】接触構造においてストッパー片が投入ストッパーに完全に掛け止められていない状態の拡大正面図である。
【符号の説明】
【００２５】
１  断路器
２  ベース
３  ブレード支持部
４  ブレード
５  可動コンタクト
６  フィンガー
７  ストッパー片
８  ノックピン
９  投入ストッパー
１０  突片
１１  黄色着色部
１２  ストライプ状模様部
１３  再帰反射材
【図１】
2006294565.tif 000003
【図２】
2006294565.tif 000004
【図３】
2006294565.tif 000005
【図４】
2006294565.tif 000006
【図５】
2006294565.tif 000007
【図６】
2006294565.tif 000008
【図７】
2006294565.tif 000009